(57)【要約】      （修正有）【課題】記録媒体をスロットイン方式により挿入可能な電子機器であって、取り出しやすさを損ねることなく、また大型化を招くことも無く、光ディスクが挿入スロットから露出されて排出動作が完了してから使用者が光ディスクを把持するまでの間、光ディスクが電子機器から脱落するのをより確実に防止する。【解決手段】記録媒体７を挿入する為の挿入スロット４と、記録媒体挿入の有無を検出する為の検出手段と、挿入された記録媒体をローディングするためのローディング機構と、ローディング機構によって記録媒体の排出操作を行う為の操作釦５と、挿入スロットの開口側に形成されたディスク取り出し用の切り欠き部６を有し、電子機器は更に切り欠き部の内側に記録媒体の脱落防止用部材を設けた。さらに脱落防止用部材と操作釦を兼用した。【選択図】図１
2009123279.tif 000002
【特許請求の範囲】
【請求項１】
記録媒体をスロットイン方式により挿入可能な電子機器であって、該記録媒体を挿入する為の挿入スロットと、該記録媒体挿入の有無を検出する為の検出手段と、挿入された記録媒体をローディングするためのローディング機構と、該ローディング機構によって該記録媒体の排出操作を行う為の操作釦と、該挿入スロットの開口側に形成された該ディスク取り出し用の切り欠き部を有するものであって、該電子機器は更に該切り欠き部の内側に該記録媒体の脱落防止用部材を設けたことを特徴とする電子機器。
【請求項２】
脱落防止用部材は前記操作釦をも兼ねることを特徴とする請求項1に記載の電子機器。
【請求項３】
操作釦は押圧スイッチであり、前記記録媒体が挿入された状態で操作釦を押圧することによって前記記録媒体の排出が開始され、前記記録媒体の開口部が前記切り欠き部の位置まで排出されたことを前記検出手段により検知して再び操作釦が突出し、前記記録媒体の開口部を貫通し係合することによって、前記記録媒体の脱落防止としての機能を果たすことを特徴とする請求項２に記載の電子機器。
【発明の詳細な説明】
【技術分野】
【０００１】
本発明は電子機器の脱落防止機構に関する。
【背景技術】
【０００２】
従来より、光ディスクドライブなどに光ディスクを挿入する際に、光ディスクドライブに直接光ディスクを押し込むタイプのスロットイン方式の電子機器があり、このような電子機器の中には、光ディスク排出時の脱落を防止するための、脱落防止機構が設けられているものがある。
【０００３】
しかし、通常このような電子機器の脱落防止機構は挿入/排出中の光ディスクの脱落防止のみを保証している為、排出動作により光ディスクが挿入スロットから露出されて排出動作が完了してから使用者が光ディスクを取り出すまでの間に、装置外に落下してしまう可能性があった。
【０００４】
更に、以前はカーステレオ用のCDで多く採用されていたスロットイン方式だが、最近では縦置きのパソコンやDVDレコーダーなどにも導入されており、今後はデジタルビデオカメラなどへの採用も考えられる。よって装置本体が縦向きや逆さまの状態で光ディスクが排出されてしまう可能性も考えねばならず、以前よりも光ディスク排出時の脱落防止の必要性は高まっている。
【０００５】
光ディスク排出後の脱落の可能性に対して、例えば特開平10−21618号公報では、スロットイン可能な光ディスクプレイヤー装置において、排出動作により光ディスクが挿入スロットから露出された状態でも、付勢部材によって光ディスクを保持し、光ディスクが装置外に落下するのを防止している。
【特許文献１】特開平10−21618号公報
【発明の開示】
【発明が解決しようとする課題】
【０００６】
ところで、通常スロットイン方式の電子機器において、排出されたディスクを抜き取る際には、ディスク中央の開口部に指を引っ掛けて抜き取るのが一般的である。この為、取り出しやすさを考慮すると、図10に示すように、ディスクは少なくとも中央の開口部が完全に露出するまで排出される必要がある。しかし、これはすなわちディスクの半分以上が本体から露出しているということであり、例え特開平10−21618号公報のように内部に設けられた付勢部材により脱落を防止したとしても、取り出しやすさを考慮するとあまり大きな力で付勢することはできないことや、ディスクの露出されていない部分、すなわちディスクの半分以下の部分しか付勢できないことを考えると、例えば誤って逆さまの状態で排出された場合などには、やはり脱落の可能性がある。また、より確実に脱落を防止する方法として、脱落防止機構を電子機器の外側に設けて、ディスクの露出部を保持する方法もあるが、これは電子機器の大型化を招いてしまう。
【０００７】
本発明はこのような問題を省みたものであり、取り出しやすさを損ねることなく、また大型化を招くことも無く、光ディスクが挿入スロットから露出されて排出動作が完了してから使用者が光ディスクを把持するまでの間、光ディスクが電子機器から脱落するのをより確実に防止できるような脱落防止機構を備えた電子機器を提供することを目的とする。
【課題を解決するための手段】
【０００８】
上記の問題を解決する為に、本発明の、記録媒体をスロットイン方式により挿入可能な電子機器は、該記録媒体を挿入する為の挿入スロットと、該記録媒体挿入の有無を検出する為の検出手段と、挿入された記録媒体をローディングするためのローディング機構と、該ローディング機構によって該記録媒体の排出操作を行う為の操作釦と、該挿入スロットの開口側に形成された該ディスク取り出し用の切り欠き部を有しており、該電子機器は更に該切り欠き部の内側に該記録媒体の脱落防止用部材を設けている。
【発明の効果】
【０００９】
本発明によれば、取り出しやすさを損ねることなく、また大型化を招くことも無く、使用者が光ディスクを把持するまでの間、光ディスクが電子機器から脱落するのを確実に防止することができる。
【発明を実施するための最良の形態】
【００１０】
次に、本発明の詳細を実施例の記述に従って説明する。
【実施例１】
【００１１】
本発明の効果的な実施例として、光ディスクカムコーダにスロットイン方式を適用した場合について説明する。
【００１２】
図１、図２に本発明の外観斜視図及び上面図を示す。電子機器１は撮像部２にて画像を撮影し、記録/制御部３にて内部に挿入されている光ディスクへと記録する。上記記録の為の記録媒体となる光ディスク7は、電子機器１に設けられた挿入スロット４よりスロットイン方式で記録/制御部３へと挿入することができる。挿入された光ディスク7は電子機器１の内部に設けられた検出手段により光ディスク7の挿入を検知し、記録/制御部３による光ディスク7への記録が可能となる。操作釦５は電子機器に設けられた切り欠き部６の内側に配置され、記録/制御部３に挿入された光ディスク7を排出させるための押圧釦である。また、操作釦５の押圧面５Ａは、光ディスク７の開口穴８の大きさよりも面積的に若干小さくなっている。以下、より詳細な説明を行う為に、図3に図１におけるX-X断面図を示す。また、図４に図２におけるY-Y断面図を示す。図３、図４において、９は操作釦５が押圧されているかどうかを検知する為の操作釦検出スイッチ、10は光ディスクが挿入されているかどうかを検知する為のディスク検出スイッチ、26は光ディスク７が所定の位置まで挿入されたことを検知する為の装填完了検出スイッチである。上記検出スイッチ類は図８の例に示すように、被検出物27が検出スイッチ28の前方を通過する時に、検出スイッチ28の可動部29が押されて検出OFF⇔ONが切換わるようになっている。なお、本実施例においては上記検出スイッチは全てメカスイッチとしているが、これに限らず、例えば光センサーなどを用いた検出手段であっても良い。また、ディスク検出スイッチ10は図４に示すように、光ディスク７がＰ２の位置を通過する際にちょうどOFF⇔ONが切換わるような配置となっており、このとき光ディスク７の開口穴８の中心は操作釦５の中心とほぼ一致している。
【００１３】
１１は操作釦５が押圧された状態において、操作釦５の飛び出しを防止する為のロック部材であり、モーター25を介して上下方向に移動可能となっている。また、操作釦５は、ロック時には本体内部に設けられた突起部13に取り付けられたバネ14によって、飛び出し方向の付勢力を受けている。操作釦５に設けられたストッパー部23は操作釦5の飛び出し時に本体カバーの付き当て面24に突き当たり、これにより操作釦５の飛び出し位置が規制される。また、本体突起部13は操作釦5の位置に関わらず、常にある程度は操作釦５の穴部２２と嵌合しており、操作釦５のガイドとしての役目も兼ねている。挿入スロット4はベースシャーシ15a,15bにより構成され、15aの内側には摩擦部材からなるシート材19が貼り付けられている。また15bの内側には同じく摩擦部材からなるガイドローラ16a,16bが光ディスク７の直径よりも若干小さい間隔を空けてローラ軸17に固定され、ローラ軸17と一体で回転されるようになっており、ローディング機構によってディスクの挿入/排出動作が行われる際にはディスク７をシート材19に押し付けながらローディングを行う。ターンテーブル18は図３におけるα⇔β方向に移動可能となっており、ディスク挿入時にはβ方向へ移動して図示しないクランパとの間でクランプが行われ、ディスク排出時にはα方向へと移動し、クランプが解除される。
【００１４】
なお、スロットイン方式の一般的な機構であるローディング機構及びクランプ機構については本発明の主旨ではない為ここでは説明を省略する。
【００１５】
次に、本発明の実施例の流れについて図11、図12のフローチャートに従って説明する。
【００１６】
光ディスク7挿入時(図11参照)：光ディスク7が記録/制御部３に挿入されていない時、図５に示すように、操作釦５は挿入スロット４よりも手前の位置Q１でストッパ部材１１により飛び出しを規制された状態であり、光ディスク7が挿入スロット４に挿入されるのを妨げないようになっている。その状態で光ディスク7を挿入スロット４に挿入すると（S101）、光ディスク７が図４の位置Ｐ２を通過したところで検出スイッチ１０がディスクの挿入を検知し(S102)、ローディング機構が作動してガイドローラ16a,16bが回転し、光ディスク７のローディングが開始される(S103)。そして、光ディスク７が所定の位置Ｐ３までローディングされると、装填完了検出スイッチ２６がONになり、ローディングが停止する（S105）。またそれと同時に、図５のターンテーブル１８がβ方向に突出し、図示しないクランパとの間でクランプが行われるとともに(S106)、モータ２５が駆動してロック部材１１を下方へと移動させ(S107)、それによって操作釦５がバネ１４の付勢力によってスロット穴４を塞ぐ位置Q２まで突出する（S108）。
【００１７】
光ディスク7排出時(図12参照)：図６に示すように、光ディスク７が挿入されている状態で操作釦５を押圧すると、操作釦５の突起部１２により操作釦検出スイッチ９がONになり、操作釦５の押圧を検知するとともに(S201)、モータ２５が駆動してストッパ部材１１を上方へと移動させ、操作釦５の突起部１２と嵌合する。これにより操作釦５がＱ１の位置において飛び出しが規制される。それと同時にターンテーブル１８がα方向へと引っ込んでクランプが解除され(S203)、ガイドローラ１６a、１６bが逆回転し、光ディスク７のアンローディングが開始される(S204)。光ディスク７は図４のＰ２の位置まで、すなわちディスク検出スイッチ１０がOFFになるまでガイドローラ16a,16bにより排出方向に送り出される。光ディスク検出スイッチ１０がOFFになると、光ディスク７のアンローディングが停止し(S206)、それと同時にストッパモータ２５が駆動してストッパ部材１１を下方へと移動させ(S207)、操作釦５はバネ１４の付勢力によって飛び出してディスク開口穴８を貫通して係合する(図７、S208)。よって例え電子機器１が逆さまの状態で操作釦５を押して光ディスク7を排出したとしても、光ディスク7の開口部８に操作釦５が係合している為、光ディスク7が電子機器１から脱落して落下することは無い。図７の状態から光ディスク7を抜き取るには、図9に示すように、操作釦５を押して光ディスク7の開口部８との係合状態を解除しつつ、親指を光ディスク7の開口部８に差し込み、光ディスク7を抜き取るようにする。この時操作釦５は上述したのと同様の手順により押圧後の位置で再びストッパ部材１１によってロックされて停止する(S210)。
【００１８】
以上のように、本発明では、脱落防止機構を挿入スロットの上部にディスク取り出し用の切り欠き部を設け、その切り欠き部の内側に光ディスク脱落防止用のストッパ部材を設けたので、取り出しやすさを損ねることなく、また大型化を招くことも無く、光ディスクが挿入スロットから露出されて排出動作が完了してから使用者が光ディスクを把持するまでの間、光ディスクが電子機器から脱落するのを確実に防止することができる。
【図面の簡単な説明】
【００１９】
【図１】本実施例における電子機器の外観図斜視図である。
【図２】本実施例における電子機器の外観図上面図である。
【図３】図１のX-X断面図である。
【図４】図２のY-Y断面図である。
【図５】図１のX-X断面からの視点において、光ディスクを記録/制御部に挿入した際の電子機器の動作を示した図である。
【図６】図１のX-X断面からの視点において、光ディスクを記録/制御部から排出する際の電子機器の動作を示した図である。
【図７】図１のX-X断面からの視点において、操作釦が突出して、光ディスクの開口部と係合した時の状態を示した図である。
【図８】検出スイッチが被検出物を検出する際の動作を示した図である。
【図９】操作釦が突出して、光ディスクの開口部と係合した状態から、光ディスクを抜き取る方法を示した図である。
【図１０】スロットイン方式の電子機器においてディスク排出時にディスクが半分以上露出する例を示した図である
【図１１】光ディスク挿入時のフローチャートである。
【図１２】光ディスク排出時のフローチャートである。
【符号の説明】
【００２０】
1  電子機器
2  撮像部
3  記録/制御部
4  挿入スロット
5  操作釦
5A  操作釦の光ディスクと平行な面
6  切り欠き部
7  光ディスク7
8  開口部
9  操作釦検出スイッチ
10  光ディスク検出スイッチ
11  ロック部材
12  操作釦突起部
13  本体突起部
14  付勢バネ
15a  ベースシャーシ
15b  ベースシャーシ
16a  ガイドローラ
16b  ガイドローラ
17  ローラ軸
18  ターンテーブル 
19  シート材
20  光ディスク
21  電子機器
22  穴形状
23  ストッパー部
24  本体突き当て面
25  ストッパモータ
26  装填完了スイッチ
27  被検出物
28  検出スイッチ
29  検出スイッチ可動部
【図１】
2009123279.tif 000003
【図２】
2009123279.tif 000004
【図３】
2009123279.tif 000005
【図４】
2009123279.tif 000006
【図５】
2009123279.tif 000007
【図６】
2009123279.tif 000008
【図７】
2009123279.tif 000009
【図８】
2009123279.tif 000010
【図９】
2009123279.tif 000011
【図１０】
2009123279.tif 000012
【図１１】
2009123279.tif 000013
【図１２】
2009123279.tif 000014